(57)【要約】【課題】  太陽電池の発電する電力をバッテリーに充電して、必要な時に動作ができなくなることをなくし、利便性の高い電動ブラインドを提供する。【解決手段】  太陽電池２と、太陽電池２により発電された電力を充電するバッテリー３と、スラット１１と、スラット１１の昇降及びスラット１１の角度調整を行う駆動部１２３と、駆動部１２３を制御する制御部１２２と、制御部１２２の情報を表示する表示部とを備える電動ブラインドにおいて、制御部１２２は、バッテリー３の蓄電量を検出し蓄電量に基づいて、もしくはバッテリー３の蓄電量および太陽電池２の発電量を検出し、蓄電量および発電量に基づいて、駆動部１２３の動作可能回数を判定し、動作可能回数を表示部に表示させる。【選択図】  図１
2011074707.tif 000002
【特許請求の範囲】
【請求項１】
太陽電池と、
前記太陽電池により発電された電力を充電するバッテリーと、
スラットと、
前記スラットの昇降及びスラットの角度調整を行う駆動部と、
前記駆動部を制御する制御部と、
前記制御部の情報を表示する表示部とを備え、
前記制御部は、前記バッテリーの蓄電量に基づいて、もしくは前記バッテリーの蓄電量および前記太陽電池の発電量に基づいて、前記駆動部の動作可能回数を判定し、前記動作可能回数を前記表示部に表示させることを特徴とする電動ブラインド。
【請求項２】
前記制御部は、複数の前記電動ブラインドを集中制御する集中制御装置に、前記動作可能回数を通信することを特徴とする請求項１に記載の電動ブラインド。
【請求項３】
太陽電池と、
前記太陽電池により発電された電力を充電するバッテリーと、
スラットと、
前記スラットの昇降及びスラットの角度調整を行う駆動部と、
前記駆動部を制御する制御部と、
前記制御部の情報を表示する表示部とを備え、
前記制御部は、前記バッテリーの蓄電量に基づいて、もしくは前記バッテリーの蓄電量および前記太陽電池の発電量に基づいて、前記駆動部の動作制限を行うことを特徴とする電動ブラインド。
【請求項４】
前記制御部は、複数の前記電動ブラインドを集中制御する集中制御装置に、前記動作制限を通信することを特徴とする請求項３に記載の電動ブラインド。
【請求項５】
太陽電池と、
前記太陽電池により発電された電力を充電するバッテリーと、
スラットと、
前記スラットの昇降及びスラットの角度調整を行う駆動部と、
前記駆動部を制御する制御部と、
前記制御部の情報を表示する表示部とを備え、
前記制御部は、前記バッテリーの蓄電量を検出し、前記太陽電池の所定時間までの発電量を予測し、前記蓄電量および前記所定時間までの発電量予測に基づいて、前記駆動部の動作可能回数を判定し、前記動作可能回数を前記表示部に表示させることを特徴とする電動ブラインド。
【請求項６】
太陽電池と、
前記太陽電池により発電された電力を充電するバッテリーと、
スラットと、
前記スラットの昇降及びスラットの角度調整を行う駆動部と、
前記駆動部を制御する制御部と、
前記制御部の情報を表示する表示部とを備え、
前記制御部は、前記バッテリーの蓄電量を検出し、前記太陽電池の所定時間までの発電量を予測し、前記蓄電量および前記所定時間までの発電量予測に基づいて、前記駆動部の動作制限を行うことを特徴とする電動ブラインド。
【発明の詳細な説明】
【技術分野】
【０００１】
本発明は、電動ブラインドの動作制御に関し、特に太陽電池により発電された電力で動作する電動ブラインドの動作制御に関する。
【背景技術】
【０００２】
特開２００３−２２１９８９号公報（特許文献１）には、電動ブラインドの電力として、太陽電池を配設するとともに、該太陽電池の発電する電気をバッテリーに充電して、リモコンスィッチを操作し、バッテリーの充電電力によりモータを作動させてスラットを駆動し、昇降／角度調整することが記載されている。特開昭５８−２１３９８３号公報（特許文献２）には、太陽電池の起動力を利用してブラインドを日昇と日没に連動して自動的に開閉させることが記載されている。
【先行技術文献】
【特許文献】
【０００３】
【特許文献１】特開２００３−２２１９８９号公報
【特許文献２】特開昭５８−２１３９８３号公報
【発明の概要】
【発明が解決しようとする課題】
【０００４】
電動ブラインドの動作は、季節、時間などの情報を基に、電動ブラインドが設置されている窓の日射角度に応じて、最適なスラット角度になるように制御されている。また、夜になると光害(深夜にオフィスビルの室内光が外側にもれ、周囲の住宅に対して安眠の妨げとなる等)や防犯上の観点(屋外が暗くなると、明るい室内が外から丸見えになるなど)から電動ブラインドを全閉(最下限位置まで下降させてスラットを閉じる)となるように制御されている。
【０００５】
ところが、上記のような太陽電池の発電する電力をバッテリーに充電して、バッテリーの充電電力によりモータを作動させる電動ブラインドでは、天気の悪い日が続けば太陽電池の発電量は低下し、バッテリーを充電する事ができず、バッテリーの蓄電量が電動ブラインドを作動させる電力量を下回れば、電動ブラインドを動作させる事ができない。又は、電動ブラインド動作途中に停止してしまうことになる。例えば、夜に全ての電動ブラインドを全閉になるよう動作制御をしたとしても、動作しない、又は、下降動作途中で停止してしまい、全閉とならない電動ブラインドが発生してしまうという課題があった。
【０００６】
また、電動ブラインドの動作可能回数を多くして、電動ブラインドの動作が十分に行えるようにするためには、太陽電池及びバッテリーが大型化して、高コスト化になるという問題点があった。
【０００７】
本発明は、上記の課題を解決するためになされたものであり、太陽電池の発電する電力をバッテリーに充電して、バッテリーの充電電力によりモータを作動させる電動ブライン
ドにおいて、必要な時に動作させる事ができないことをなくし、太陽エネルギーを有効に利用し、利便性の高い電動ブラインドを提供することを目的とする。
【課題を解決するための手段】
【０００８】
上記の課題を解決するため、本発明の電動ブラインドは、太陽電池と、前記太陽電池により発電された電力を充電するバッテリーと、スラットと、前記スラットの昇降及びスラットの角度調整を行う駆動部と、駆動部を制御する制御部と、制御部の情報を表示する表示部とを備え、前記制御部は、前記バッテリーの蓄電量を検出し前記蓄電量に基づいて、もしくは前記バッテリーの蓄電量および前記太陽電池の発電量を検出し前記蓄電量および前記発電量に基づいて、前記駆動部の動作可能回数を判定し、前記動作可能回数を前記表示部に表示させることを特徴とする。
【０００９】
また、本発明の電動ブラインドの前記制御部は、複数の前記電動ブラインドを集中制御する集中制御装置に、前記動作可能回数を通信するものである。
【００１０】
また、本発明の電動ブラインドは太陽電池と、前記太陽電池により発電された電力を充電するバッテリーと、スラットと、前記スラットの昇降及びスラットの角度調整を行う駆動部と、前記駆動部を制御する制御部と、前記制御部の情報を表示する表示部とを備え、前記制御部は、前記バッテリーの蓄電量を検出し前記蓄電量に基づいて、もしくは前記バッテリーの蓄電量および前記太陽電池の発電量を検出し前記蓄電量および前記発電量に基づいて、前記駆動部の動作制限を行うことを特徴とする。
【００１１】
また、本発明の電動ブラインドの前記制御部は、複数の前記電動ブラインドを集中制御する集中制御装置に、前記駆動部の動作制限を通信するものである。
【００１２】
また、本発明の電動ブラインドは、太陽電池と、前記太陽電池により発電された電力を充電するバッテリーと、スラットと、前記スラットの昇降及びスラットの角度調整を行う駆動部と、前記駆動部を制御する制御部と、前記制御部の情報を表示する表示部とを備え、前記制御部は、前記バッテリーの蓄電量を検出し前記太陽電池の所定時間までの発電量を予測し、前記蓄電量および前記所定時間までの発電量予測に基づいて、前記駆動部の動作可能回数を判定し、前記動作可能回数を前記表示部に表示させることを特徴とする。
【００１３】
また、本発明の電動ブラインドは、太陽電池と、前記太陽電池により発電された電力を充電するバッテリーと、スラットと、前記スラットの昇降及びスラットの角度調整を行う駆動部と、前記駆動部を制御する制御部と、前記制御部の情報を表示する表示部とを備え、前記制御部は、前記バッテリーの蓄電量を検出し、前記太陽電池の所定時間までの発電量を予測し、前記蓄電量および前記所定時間までの発電量予測に基づいて、前記駆動部の動作制限を行うことを特徴とする。
【発明の効果】
【００１４】
本発明の太陽電池の発電する電力をバッテリーに充電し、バッテリーの充電電力によりモータを作動させる電動ブラインドによれば、スラットの角度変更および上下動作を行う駆動部の動作可能回数を判定し、動作可能回数を表示部に表示を行うか、又は駆動部の動作制限を行うことにより、電動ブラインドの動作がスラットの角度変更途中又は上下動作途中での停止を防ぐ効果がある。
【図面の簡単な説明】
【００１５】
【図１】本発明に係る電動ブラインドシステムの全体構成図である。
【図２】電動ブラインド及び操作リモコンの機能ブロック図である。
【図３】第１実施形態の電動ブラインドの動作可能回数の判定フロー図である。
【図４】第２実施形態の電動ブラインドの動作可能回数の判定フロー図である。
【図５】第３実施形態の電動ブラインドの動作制限の判定フロー図である。
【図６】第４実施形態の電動ブラインドの動作制限の判定フロー図である。
【図７】発電量予測を用いた電動ブラインドの動作可能回数の判定フロー図である。
【図８】発電量予測を用いた電動ブラインドの動作制限を判定の判定フロー図である。
【図９】電動ブラインドシステムの別の形態の全体構成図である。
【図１０】電動ブラインドシステムの別の形態の全体構成図である。
【発明を実施するための形態】
【００１６】
以下、本発明の実施の形態について、図面を参照しつつ説明する。以下の図面において、実質的に同一の部品には同一の符号を付してある。
【００１７】
（第１実施形態）
図１は、本発明に係る電動ブラインドの全体構成を示す図である。電動ブラインド本体1は、水平方向に並べられた複数のスラット１１とヘッドボックス１２とを有し、太陽電池２と、太陽電池２で発電された電気を充電するバッテリー３と、バッテリー３を電源として、操作リモコン４及び、他の電動ブラインド本体６など建物全体の複数の電動ブラインドを集中制御する集中制御装置５により動作制御される。
【００１８】
太陽電池２は電動ブラインド本体1が設置されている窓の外周等の建物の外壁等に設置されている。また、太陽電池２は建物の屋上等に設置されていても良い。
【００１９】
電動ブラインド本体1の機能的構成について図２を用いて説明する。図２は、電動ブラインド本体1と操作リモコン４の機能ブロック図である。
【００２０】
操作リモコン４は、スラット１１の角度の調整・変更、すなわち角度変更およびスラット１１を上げたり下げたりする動作、すなわち上下動作の指示を使用者から受付ける操作部４１と、表示部４２と、操作部４１が受付けた指示を制御コマンドに変換する制御部４３と、電動ブラインド本体1に制御コマンドを無線通信する通信部４４により構成されている。操作リモコン４の表示部４２は、制御部１２２の情報を表示する。
【００２１】
電動ブラインド本体1のヘッドボックス１２内には、操作リモコン４と無線通信するリモコン通信部１２１と、受信した制御コマンド等により電動ブラインド本体1全体を制御する制御部１２２と、制御部１２２の指示によりスラット１１の角度変更あるいは上下動作を行なうモータなどから構成される駆動部１２３と、バッテリー３からの電力を制御部１２２、駆動部１２３に供給する電源部１２４と、太陽電池のＤＣ電圧又はＤＣ電流を検出する等により太陽電池２の発電量を検出する発電量検出部１２５と、バッテリー電圧を検出する等によりバッテリーの満充電からの残量でバッテリー３の蓄電量を検出する蓄電量検出部１２６を備えている。また、集中制御装置５と通信する集中制御装置通信部１２７を備えている。
【００２２】
尚、操作リモコン４（通信部４４）と電動ブラインド本体1（リモコン通信部１２１）の通信について、無線通信で行う構成を説明したが、通信方式は双方向赤外線通信や、ワイヤードリモコンの構成として有線通信で行っても良い。
【００２３】
上記構成により、太陽電池２で発電された電気を充電するバッテリー３を電源とする電動ブラインド本体1は、操作リモコン４または、集中制御装置５による制御コマンドに応じて、制御部１２２の指示で駆動部１２３によりスラット１１の角度変更および上下動作が行なわれる。なお、本実施の形態においては、水平スラットタイプの電動ブラインドを一例に説明しているが、本システムに用いることのできる電動ブラインドはこれに限定されるものではない。垂直スラットタイプの電動ブラインド、あるいはスラットの無いロールスクリーンタイプのブラインドなどの遮光調光手段を持つブラインドを用いることができる。
【００２４】
次に、電動ブラインドの制御について、動作可能回数を判定する方法について図３のフローチャートに基づき説明する。
【００２５】
初めに、ステップＳ３０５で、制御部１２２は、蓄電量検出部１２６によりバッテリー３の蓄電量を検出する。
【００２６】
次に、バッテリー蓄電量が所定値Bより大きければ（ステップＳ３０６のＹ）、ブラインド動作に使用する電力は十分余裕があるため、動作可能回数を判定せずにそのまま終了する。
【００２７】
バッテリー蓄電量が所定値B以下の場合は（ステップＳ３０６のＮ）、現在のバッテリー蓄電量での動作可能回数を判定するため、バッテリー蓄電量が所定値Cより大きいか、小さいかを判定する(ステップＳ３０７)。
【００２８】
バッテリー蓄電量が所定値Cより大きければ（ステップＳ３０７のＹ）、現在のバッテリー蓄電量での動作可能回数である「動作回数＝b」と判定する(ステップＳ３１０)。「動作回数＝b」とは、例えばスラット１１上下動作なら２回可能、角度変更なら３回可能と言った回数となる。
【００２９】
バッテリー蓄電量が所定値Cより小さければ（ステップＳ３０７のＮ）、さらにバッテリー蓄電量が所定値Dより大きいか、小さいかを判定する(ステップＳ３１１)。
【００３０】
所定値Dはバッテリー蓄電量でブラインドが動作するかどうかの判定値であり、バッテリー蓄電量が所定値Dより大きければ（ステップＳ３１１のＹ）、「動作回数＝１」と判定する(ステップＳ３１２)。「動作回数＝１」とは、例えばスラット１１上下動作なら１回可能、角度変更なら２回可能と言った回数となる。
【００３１】
バッテリー蓄電量が所定値Ｄより小さければ（ステップＳ３１１のＮ）、「動作回数＝０」と判定する(ステップＳ３１３)。「動作回数＝０」とは、例えばスラット１１上下動作なら０回、角度変更なら１回可能と言った回数となる。
【００３２】
以上説明したように、バッテリー３の蓄電量により、ブラインドのスラット１１の角度変更動作あるいは上下動作の動作可能回数を判定することができる。判定した動作可能回数をメモリーに記憶させた後、リモコンに通信するか、もしくはすぐにリモコンに通信する。
【００３３】
具体的には、制御部１２２は判定した動作可能回数を、リモコン通信部１２１を介して操作リモコン４に通知し、操作リモコン４は通信部４４で受信した動作可能回数を、制御部４３により表示部４２に表示する。このように、動作可能回数を予め使用者に知らせることができる。
【００３４】
例えば、「動作回数＝b」判定のときは、残りの動作可能回数である「上下動作なら２回可能、角度変更なら３回可能」を使用者に知らせることができる為、使用者に対して緊急を要しない操作を抑制し、必要な時のみの操作を促す効果がある。また、予め残りの動作可能回数を表示することにより、ブラインド操作を行い動作途中にバッテリー切れで停止してしまうことが無くなる。なお、ブラインド動作に使用する電力に十分余裕がある（バッテリー３の蓄電量が所定値Bより大きい）ときは、ブラインド動作回数を表示しないようにしてもよい。
【００３５】
本願は夜の光害や防犯上の観点から、スラット１１の上下動作を角度変更より優先しても良いし、この逆であっても良く、上下動作と角度変更との組み合わせで優先の順位付けをしても良い。
【００３６】
また、制御部１２２は判定した動作可能回数を、集中制御装置通信部１２７を介して集中制御装置５に通知を行う。集中制御装置５は、電動ブラインド本体1の動作可能回数を予め知る事ができるため、受信した動作可能回数に応じて、建物の他のブラインドと別の制御を行う事が可能となる。たとえば、集中制御装置５により一定時刻に建物全てのブラインドを上昇して開状態にする集中制御を行う場合、電動ブラインド本体1の残りの動作可能回数により、電動ブラインド本体1に対して集中制御は行わないようにする。このように集中制御を制限することで、使用者が直接操作を行う操作リモコン４の操作を優先することができる。またその反対にリモコンを制限して集中制御を優先することができる。
【００３７】
尚、動作可能回数の表示方法は、判定した動作回数を数字で表示するだけでなく、ＬＥＤの点灯数や、バーグラフで表示するなど使用者にわかりやすく表示してもよい。
また、上記フローチャートの説明では、バッテリーの蓄電量をステップＳ３０６、Ｓ３０７、Ｓ３１１の３つの閾値で３段階に分けた例を示したが、これに限るものではなく、多段階に分けて詳細に判定を行っても良く、また、閾値を減らして１回動作するか否かだけの判定を行うことでもよい。
【００３８】
（第２実施形態）
電動ブラインドの制御について、動作可能回数を判定する方法について図４のフローチャートに基づき説明する。
【００３９】
まず、制御部１２２はステップＳ３０１で、発電量検出部１２５により太陽電池２の発電量を検出する。
【００４０】
次に、ステップＳ３０２で、発電量が所定値Ａより大きければ（ステップＳ３０２のY）、「フラグPに1をセット」する(ステップＳ３０３)。発電量が所定値Ａ以下の場合は（ステップＳ３０２のＮ）、「フラグPに０をセット」する(ステップＳ３０４)。続いて、ステップＳ３０５で、制御部１２２は、バッテリー３の蓄電量を検出する。
【００４１】
バッテリー蓄電量が所定値Bより大きければ（ステップＳ３０６のＹ）、ブラインド動作に使用する電力は十分余裕があるため、動作可能回数を判定せずにそのまま終了する。
【００４２】
バッテリー蓄電量が所定値B以下の場合は（ステップＳ３０６のＮ）、現在のバッテリー蓄電量での動作可能回数を判定するため、バッテリー蓄電量が所定値Cより大きいか、小さいかを判定する(ステップＳ３０７)。
【００４３】
バッテリー蓄電量が所定値Cより大きければ（ステップＳ３０７のＹ）、発電量フラグPを参照し(ステップＳ３０８)、「フラグP＝１」ならば、現在太陽電池２は十分発電しており、バッテリー３に充電することができるため、現在のバッテリー蓄電量で動作可能回数プラスαの回数である「動作回数＝a」と判定する(ステップＳ３０９)。「動作回数＝a」とは、例えばスラット１１上下動作なら３回可能、角度変更なら５回可能と言った回数となる。「フラグP＝０」ならば、雨、曇りなどの天候、あるいは夜などのため太陽電池２の発電が不十分であり、バッテリー３に充電することができないため、現在のバッテリー蓄電量での動作可能回数である「動作回数＝b」と判定する(ステップＳ３１０)。
【００４４】
バッテリー蓄電量が所定値Cより小さければ（ステップＳ３０７のＮ）、さらにバッテリー蓄電量が所定値Dより大きいか、小さいかを判定する(ステップＳ３１１)。
【００４５】
所定値Dはバッテリー蓄電量でブラインドが動作するかどうかの判定値であり、バッテリー蓄電量が所定値Dより大きければ（ステップＳ３１１のＹ）、「動作回数＝１」と判定する(ステップＳ３１２)。
【００４６】
バッテリー蓄電量が所定値Ｄより小さければ（ステップＳ３１１のＮ）、「動作回数＝０」と判定する(ステップＳ３１３)。
【００４７】
従い、動作可能回数は、図３では「動作回数＝ｂ」が最大であったが、図４では「動作回数＝a」にまで増加している。
【００４８】
以上説明したように、バッテリー３の蓄電量により、ブラインドのスラット１１の角度変更動作あるいは上下動作の動作可能回数を判定することができる。
【００４９】
制御部１２２は判定した動作可能回数を、リモコン通信部１２１を介して操作リモコン４に通知し、操作リモコン４は通信部４４で受信した動作可能回数を、制御部４３により表示部４２に表示する。このように、バッテリー蓄電量および発電量に基づいて動作可能回数を判定するため、より正確な判定が可能となり、動作可能回数を予め使用者に知らせることができる。又、「動作回数＝ａ」判定のときは、「上下動作回数＝３回、角度変更回数５回」と残りの動作可能回数を使用者に知らせることができる為、使用者に対して緊急を要しない操作を抑制し、必要な時のみの操作を促す効果がある。例えば、予め残りの動作可能回数を表示することにより、ブラインド操作を行い動作途中にバッテリー切れで停止してしまうことが無くなる。なお、ブラインド動作に使用する電力に十分余裕がある（バッテリー３の蓄電量が所定値Bより大きい）ときは、ブラインド動作回数を表示しないようにしてもよい。
【００５０】
また、制御部１２２は判定した動作可能回数を、集中制御装置通信部１２７を介して集中制御装置５に通知を行う。集中制御装置５は、電動ブラインド本体1の動作可能回数を予め知る事ができるため、受信した動作可能回数に応じて、建物の他のブラインドと別の制御を行う事が可能となる。たとえば、集中制御装置５により一定時刻に建物全てのブラインドを上昇して開状態にする集中制御を行う場合、電動ブラインド本体1の残りの動作可能回数により、電動ブラインド本体1に対して集中制御は行わないようにする。このように集中制御を制限することで、使用者が直接操作を行う操作リモコン４の操作を優先することができる。またその反対にリモコンを制限して集中制御を優先することができる。
【００５１】
尚、動作可能回数の表示方法は、判定した動作回数を数字で表示するだけでなく、ＬＥＤの点灯数や、バーグラフで表示するなど使用者にわかりやすく表示してもよい。
【００５２】
また、上記フローチャートの説明では、バッテリーの蓄電量をステップＳ３０６、Ｓ３０７、Ｓ３０８、Ｓ３１１の４つの閾値で４段階に分けた例を示したが、これに限るものではなく、多段階に分けて詳細に判定を行っても良く、また、閾値を減らして１回動作するか否かだけの判定を行うことでもよい。
【００５３】
(第３実施形態)
次に、本発明の第３の実施の形態を図５に基づいて説明する。第３の実施の形態に係る電動ブラインドは、第１の実施の形態と同様に、電動ブラインド本体1、太陽電池２、バッテリー３、操作リモコン４、集中制御装置５を含む。
【００５４】
まず、電動ブラインド本体1の制御部１２２は、バッテリー３の蓄電量を検出する（ステップＳ４０３）。
【００５５】
バッテリー蓄電量が所定値Ｆより大きければ（ステップＳ４０４のＹ）、ブラインド動作に使用する電力は十分余裕があるため、動作制限を行わずそのまま判定を終了する。
【００５６】
バッテリー蓄電量が所定値Ｆ以下の場合は（ステップＳ４０４のＮ）、現在のバッテリー蓄電量での動作制限を判定するため、バッテリー蓄電量が所定値Ｇより大きいか、小さいかを判定する(ステップＳ４０５)。
【００５７】
バッテリー蓄電量が所定値Ｇより大きければ（ステップＳ４０５のＹ）、「動作制限q」と判定する(ステップＳ４０６)。「動作制限q」とは、例えば、モータ駆動電力が大きいスラット１１の上下動作のみを制限（行えなく）することにより、モータ駆動電力が小さいスラット１１の角度制御を行える期間を長く保つ制御を行う。
【００５８】
バッテリー蓄電量が所定値Ｇより小さければ（ステップＳ４０５のＮ）、さらに制限する「動作制限r」と判定する(ステップＳ４０７)。「動作制限r」とは、例えば、スラット１１を下降してスラットを閉じる動作（ブラインド閉状態）のみを認め、他の上下動作や、角度制御を行えなくし、使用者がリモコンを操作しても受け付けない。補足すれば、スラット１１を下降してスラットを閉じる動作はスラット１１の自重で下降するので、使われるモータ駆動電力は少なくてすむ。このように、ブラインドを例えば夜間は全閉状態にする等の最低限必要な状態にする動作のみを行い、それ以外の動作を制限とする。
【００５９】
以上説明したように、バッテリー３の蓄電量により、ブラインドのスラット１１の角度変更動作あるいは上下動作の動作制限を行うことで、一時的に必要最低限の動作に抑制されるが、最低限要求されるブラインドの機能を果たすことができる。
【００６０】
尚、上記フローチャートの説明では、バッテリーの蓄電量を２つの閾値で２段階に分けた例を示したが、これに限るものではなく、多段階に分けて詳細に判定を行っても良く、また、閾値を減らして動作制限するか否かだけの判定を行うことでもよい。
【００６１】
次に、制御部１２２は動作制限を行っていることを、リモコン通信部１２１を介して操作リモコン４に通知し、操作リモコン４は通信部４４で受信した動作制限を、制御部４３により表示部４２に表示する。このように、動作制限行っている事を予め使用者に知らせることができる。
【００６２】
また、電動ブラインド本体1の制御部１２２は動作制限を行っていることを、集中制御装置通信部１２７を介して集中制御装置５に通知を行う。集中制御装置５は、電動ブラインド本体1が動作制限されていることを予め知ることができるので、例えば、集中制御装置５により一定時刻に建物全てのブラインドを上昇して開状態にする集中制御を行う場合などでは、電動ブラインド本体1が動作制限されている場合は、電動ブラインド本体1を除いて制御信号を送信することができる。
【００６３】
このように、電動ブラインド本体1が動作制限を行っている時は、操作リモコン４及び集中管理装置５に通知して、予め使用者に知らせることができる為、より使い勝手の良い電動ブラインドを提供可能となる。
【００６４】
尚、電動ブラインド本体1が動作制限を行っている時、操作リモコン４及び集中管理装置５により、動作制限を一時解除する機能を設けてもよい。一時的に動作制限を解除することで、ブラインド動作回数や操作継続時間が短縮されることになるが、使用者の希望する動作を行えるように設定変更することが可能となる。
【００６５】
また、このように全閉制御を優先するために、電動ブラインド本体1の動作制限を、全閉制御分のバッテリーの蓄電量を残すように設定する事で、電動ブラインドの使い勝手をより良くすることができる。更に、夜に全ての電動ブラインドを全閉にする制御を優先して行う場合に、電動ブラインド本体1が動作制限されていても、一時解除を可能にすることで、全閉制御を動作させる事ができる。
また第１実施形態で動作可能回数を表示する場合には、全閉制御1回分を確保するために図３で判定した動作回数から全閉制御分を引いた回数を動作可能回数として表示してもよい。また、第１実施形態で動作可能回数を表示する場合には、全閉制御1回分を確保するために図３で判定した動作回数から全閉制御1回分をひいた回数を動作可能回数として表示してもよい。
【００６６】
(第４実施形態)
次に、本発明の第４の実施の形態を図６に基づいて説明する。第４の実施の形態に係る電動ブラインドは、第２の実施の形態と同様に、電動ブラインド本体1、太陽電池２、バッテリー３、操作リモコン４、集中制御装置５を含む。
【００６７】
まず、電動ブラインド本体1の制御部１２２はステップＳ４０１で、発電量検出部１２５により太陽電池２の発電量を検出する。
【００６８】
次に、ステップＳ４０２で、発電量が所定値Ｅより大きければ（ステップＳ４０２のY）、現在太陽電池２は十分発電しており、バッテリー３に充電することができるため、ブラインドの動作制限を行わず、そのまま判定を終了する。
【００６９】
発電量が所定値Ｅ以下の場合は（ステップＳ４０２のＮ）、制御部１２２は、バッテリー３の蓄電量を検出し（ステップＳ４０３）、バッテリー蓄電量が所定値Fより大きいか否かを判定する（ステップＳ４０４）。
【００７０】
ステップＳ４０４以降のフローについては、第３実施形態のフローと同じなので、省略する。
【００７１】
太陽電池２の発電量と、バッテリー３の蓄電量により、ブラインドのスラット１１の角度変更動作あるいは上下動作の動作制限を行うことで、一時的に必要最低限の動作に抑制されるが、最低限要求されるブラインドの機能を果たすことができる。
【００７２】
尚、上記フローチャートの説明では、太陽電池の発電量を１つの閾値で1段階に判定し、次にバッテリーの蓄電量を２つの閾値で２段階に判定し、合計３段階に分けたことにより、より正確な動作制限を行うことが可能となる。
【００７３】
(第５実施形態)
ここからは、本発明の第５の実施の形態を図７に基づいて説明する。第５の実施の形態に係る電動ブラインドは、第１の実施の形態と同様に、電動ブラインド本体1、太陽電池２、バッテリー３、操作リモコン４、集中制御装置５を含む。
【００７４】
電動ブラインド本体1の制御部１２２は、太陽電池２の所定期間までの発電量を予測する機能を持つ。所定期間の一例として、1日分（日出から日没まで）、１週間分の発電量を予測する。あるいは、曇り又は雨の時間帯や日は発電量が少なく、電動ブラインドを十分に動作させることができない場合があるので、所定期間の発電量を予測して、所定期間までに得られる発電量予測と、バッテリー３の蓄電量や現時点の太陽電池２の発電量を基に、ブラインド動作可能回数の判定や、動作制限の制御を行うようにする。
【００７５】
発電量を予測する機能とは、電動ブラインド本体1が設置されている緯度情報と障害物情報（日陰となり太陽光が当らなくなる時間帯や、障害物となる建物の高さなど）を入力しておき、時計カレンダー情報(時刻と月日)により、今日の太陽の軌跡（高さ）と、現在までの太陽電池の発電量から、今後所定期間までに期待できる発電量を求める。例えば、南向きに太陽電池が設置され、障害物情報から今日の太陽の軌跡（高さ）では建物が障害物となり午前１０時から午後２時までしか太陽光が当らない設置環境である時、正午までの発電量が８００Ｗであれば、今後、所定期間までに８００Ｗの発電量が見込めると予測することができる。
【００７６】
次に、所定期間までに得られる発電量予測と、現時点の太陽電池２の発電量と、バッテリー３の蓄電量を基に、ブラインド動作可能回数の判定や、動作制限の制御を行うようにする。
【００７７】
このとき、電動ブラインド本体1の１日の動作だけでなく、一定期間の動作、例えば1週間分の全閉動作のバッテリー蓄電量を確保しておいて、他の動作を制限するようにしてもよい。
【００７８】
発電量の予測値を考慮したブラインド動作可能回数の判定について、図７は図４に発電量の予測を追加し、１つの閾値で判定するものである。図４のステップＳ３０２とステップＳ３０４の間に、ステップＳ５０１とステップＳ５０２が追加されている。
【００７９】
図４の判定では、ステップＳ３０２で、現在の発電量が所定値Ａ以下の場合は（ステップＳ３０２のＮ）、「フラグPに０をセット」される(ステップＳ３０４)。そして、ステップＳ３０７でバッテリー蓄電量が所定値Cより大きければ（ステップＳ３０７のＹ）、発電量フラグPを参照し(ステップＳ３０８)、「フラグP＝０」なので、太陽電池２の発電が不十分と判断し、現在のバッテリー蓄電量での動作可能回数である「動作回数＝b」と判定する(ステップＳ３１０)。
【００８０】
しかし、図７の発電量の予測値を考慮したフローチャートでは、ステップＳ３０２で、現時点では一時的な天候の曇り状態や障害物の影響などで発電量が不十分の判定（現在の発電量が所定値Ａ以下）であっても、ステップ５０１で太陽電池２の発電量予測値を算出し、ステップＳ５０２で、予測値が所定値Ｈより大きい時は（ステップＳ５０２のY）「フラグPに１をセット」する。予測値が所定値Ｈより小さい時は（ステップＳ５０２のＮ）「フラグPに０をセット」することとなる。
【００８１】
したがって、現時点での発電量以外に、発電量の予測値を考慮して発電量フラグPを設定することができ、ステップＳ５０２の判定において、より正確に動作可能回数を判定することが可能となる。
【００８２】
なお、上記の実施形態では、ステップＳ３０１で現時点での太陽電池の発電量を検出し、ステップＳ５０１で所定期間までに得られる発電量の予測を行っているが、ステップＳ３０１での現時点における太陽電池の発電量を検出することなく（同時にステップＳ３０２の判定の閾値を無くし）、開始からステップＳ５０１の所定期間までに得られる発電量予測とステップＳ３０３と、ステップＳ３０５で検出されるバッテリーの蓄電量に基づいて、動作可能回数を判定することも可能である。
【００８３】
(第６実施形態)
次に、発電量の予測値を考慮したブラインド動作制限の判定について、図８は図６に発電量の予測を追加し、１つの閾値で判定するものである。図６のステップＳ４０４とステップＳ４０５の間に、ステップＳ６０１とステップＳ６０２が追加されている。
【００８４】
図６の判定では、ステップＳ４０２で、現時点では一時的な天候の曇り状態などで発電量が不十分の判定（現在の発電量が所定値Ｅ以下）であれば、ステップＳ４０３で、バッテリー３の蓄電量を検出し、バッテリー蓄電量が所定値Ｆ以下の場合は（ステップＳ４０４のＮ）、現在のバッテリー蓄電量での動作制限を判定するため、バッテリー蓄電量が所定値Ｇより大きいか、小さいかを判定する(ステップＳ４０５)。
【００８５】
しかし、図８の発電量の予測値を考慮したフローチャートでは、ステップＳ４０４のＮで、バッテリー蓄電量が所定値Ｆ以下の場合でも、ステップ６０１で太陽電池２の発電量予測値を算出し、ステップＳ６０２で、予測値が所定値Ｋより大きい時は（ステップＳ６０２のY）、今後の発電量が十分見込めるため、動作制限を行わずそのまま判定を終了する。このように、現時点での発電量以外に、発電量の予測値を考慮することで、より正確な動作制限の判定を行うことが可能となり、極力動作制限を行わずに長期間にわたり電動ブラインド操作が継続可能となる。
【００８６】
なお、上記の実施形態では、ステップＳ４０１で現時点での太陽電池の発電量を検出し、ステップＳ６０１で所定期間までに得られる発電量の予測を行っているが、ステップＳ４０１での現時点における太陽電池の発電量を検出することなく（同時にステップＳ４０２の判定の閾値を無くし）、開始からステップＳ４０３で検出されるバッテリーの蓄電量と、ステップＳ６０１の所定期間までに得られる発電量予測とに基づいて、動作制限を判定することも可能である。
【００８７】
尚、第５および第６実施形態における発電量予測機能について、これに限るものでなく、インターネットや電子メール等から入手した天気予報データをパソコン等に接続して集中制御装置で取り込み、データを記憶させ、集中制御装置または集中制御装置が制御部に天気予報データを通信し、制御部で予測値を算出させ、発電量を予測する方法等でもよい。天気予報データを用いることにより、より正確な発電量予測が可能となる。
【００８８】
(その他の実施形態)
以上で説明した実施形態はあくまで本発明を実施するに当たっての一例であり、本発明の趣旨を逸脱しない程度のあらゆる変更が可能である。
【００８９】
上記の実施形態では、電動ブラインド本体1と別体の操作リモコン４に操作部４１と表示部４２が設けられているが、操作部４１及び表示部４２が電動ブラインド本体1の本体（スラット１１やヘッドボックス１２等）に一体的に設けられていてもよい。また、図１では、ヘッドボックス１２は電動ブラインド本体1の最上部にあるが、表示部又は操作部は見やすく、操作がしやすい最下部あるいは最上部と最下部との間にあってもよく、それぞれ別の場所であってもよい。
【００９０】
また、上記の実施形態では発電量、蓄電量の検出および所定期間における発電量予測を行う制御部は、電動ブラインド本体６のヘッドボックス１２に設けられている場合について説明したが、中央制御装置５に設けられていてもよいし、ヘッドボックス１２と中央制御装置５に分割して設けられていてもよい。
【００９１】
また、例えば図９の例のように、点線の枠Ａの中にある1個の太陽電池２と1個のバッテリー３と３個の電動ブラインド本体６を１つのグループとして、同様にいくつかのグループを構成し、建物全体の複数の電動ブラインド本体６を集中制御装置５により動作制御させても良い。尚、図９は一例であるので、太陽電池２とバッテリー３と電動ブラインド本体６の個数については、それぞれ１個から複数個で特に限定するものでない。さらに、図１０の例のように、幾つかの電動ブラインド本体６をグループとして、グループＳ１、Ｓ２、Ｓ３等をつくり制御グループを構成し、これらを集中制御装置５により動作制御させても良い。
【産業上の利用可能性】
【００９２】
以上のように、本発明にかかわる電動ブラインドは、太陽電池の発電する電力をバッテリーに充電し、その電力を用いる電動ブラインドにおいて、電動ブラインド操作が継続可能となるのに有用である。
【符号の説明】
【００９３】
１  電動ブラインド本体
２  太陽電池
３  バッテリー
４  操作リモコン
５  集中制御装置
６  電動ブラインド本体
1１  スラット
1２  ヘッドボックス
【図１】
2011074707.tif 000003
【図２】
2011074707.tif 000004
【図３】
2011074707.tif 000005
【図４】
2011074707.tif 000006
【図５】
2011074707.tif 000007
【図６】
2011074707.tif 000008
【図７】
2011074707.tif 000009
【図８】
2011074707.tif 000010
【図９】
2011074707.tif 000011
【図１０】
2011074707.tif 000012